(57)【要約】【課題】トレーディングカード収集家が、カードを安全で効率的に売買、及び保管することができるトレーディングシステムを提供する。【解決手段】顧客Ａがスキャナ等でカード１７の状態情報を読み取り、サーバコンピュータ７に送る。サーバコンピュータ７はカード１７を鑑定し鑑定結果をコンピュータ１３に送る。コンピュータ１３はカード１７に鑑定結果を登録する。コンピュータ１３は必要に応じてカード１７に登録されたカード情報を読み取らせ、ネットワーク３に接続されるサーバコンピュータ７等に送信する。サーバコンピュータ７は、カード１７のカード情報１１をネットワーク３経由で更新する。また、サーバコンピュータ７は、カード売買取引の仲介処理（カードの引渡し、代金支払処理）を行う。【選択図】図１
2005259101.tif 000002
【特許請求の範囲】
【請求項１】
サーバコンピュータと、カードリードライト端末装置を備えるコンピュータとが、ネットワークに接続されたグレーディングシステムであって、
前記サーバコンピュータは、
前記コンピュータが、前記カードリードライト端末装置にカードを読み取らせて送信した前記カードの鑑定結果を受信する手段と、
前記カードの鑑定結果から判定されるカード評価額を、前記コンピュータに送信して、前記カードリードライト端末装置で前記カードに書き込ませる手段と、
を具備することを特徴とするグレーディングシステム。
【請求項２】
サーバコンピュータと、カードリードライト端末装置を備えるコンピュータとが、ネットワークに接続されたグレーディングシステムであって、
前記サーバコンピュータは、
カードの状態に関する情報に基づいて、前記カードの鑑定を行う鑑定手段と、
鑑定結果を、前記コンピュータに送信して前記カードリードライト端末装置で前記カードに書き込ませる手段と、
を具備することを特徴とするグレーディングシステム。
【請求項３】
前記サーバコンピュータは、
前記ネットワーク経由で、前記コンピュータに追加又は書換えるカード情報を送信する手段と、
前記コンピュータに、前記カードリードライト端末装置経由で、前記カード情報をカードに書き込ませる手段と、
を、具備することを特徴とする請求項１又は請求項２記載のグレーディングシステム。
【請求項４】
前記サーバコンピュータは、
前記コンピュータが、前記カードリードライト端末装置から読み込んだカードを認証する手段と、
前記コンピュータからの要求に応じて、前記カード情報を前記コンピュータに送信する送信手段と、
を、具備することを特徴とする請求項１又は請求項２記載のグレーディングシステム。
【請求項５】
サーバコンピュータと、カードリードライト端末装置を備えるコンピュータとが、ネットワークに接続されたグレーディングシステムであって、
前記サーバコンピュータは、
カード購入希望者の第１のコンピュータからカードに関する情報照会があると、前記カードの鑑定結果等を、前記第１のコンピュータに送信し、
前記第１のコンピュータから前記カード購入依頼があると、カード所有者の第２のコンピュータに通知して売買の仲介を行い、
前記カードの売買が成立し、前記カードの所有者が変更されると、前記カードの所有者情報等の変更登録を行うことを特徴とするグレーディングシステム。
【請求項６】
サーバコンピュータと、カードリードライト端末装置を備えるコンピュータとが、ネットワークに接続されたグレーディングシステムであって、
前記コンピュータは、
前記サーバコンピュータに記録されたカードに関する情報を読み取る手段と、
前記サーバコンピュータに記録された前記カードに関する情報を変更及び追加する手段と、
を、具備することを特徴とするグレーディングシステム。
【請求項７】
サーバコンピュータと、カードリードライト端末装置を備えるコンピュータとが、ネットワークに接続されたグレーディングシステムであって、
前記コンピュータは、
カードに記録された情報を読み取る手段と、
前記カードに記録された情報を変更及び追加する手段と、
を、具備することを特徴とするグレーディングシステム。
【請求項８】
前記カードは、前記カードの鑑定結果と、前記カードの所有者情報と、前記カードの評価額と、前記カードに関するその他の情報を記憶部に保持することを特徴とする請求項１から請求項７のいずれかに記載のグレーディングシステム。
【請求項９】
前記サーバコンピュータは、前記カードの鑑定結果と、前記カードの所有者情報と、前記カードの評価額と、前記カードに関するその他の情報を記憶部に保持することを特徴とする請求項１から請求項７のいずれかに記載のグレーディングシステム。
【請求項１０】
カードリードライト端末装置を備えるコンピュータとネットワークで接続され、
カード所有者の前記コンピュータが、前記カードリードライト端末装置にカードを読み取らせて送信した前記カードの鑑定結果を受信する手段と、
前記カードの鑑定結果から判定されるカード評価額を、前記コンピュータに送信して、前記カードリードライト端末装置で前記カードに書き込ませる手段と、
を具備することを特徴とするサーバコンピュータ。
【請求項１１】
カードリードライト端末装置を備えるコンピュータとネットワークで接続され、
カードの状態に関する情報に基づいて、前記カードの鑑定を行う鑑定手段と、
鑑定結果を、前記カード所有者の前記コンピュータに送信して前記カードリードライト端末装置で前記カードに書き込ませる手段と、
を具備することを特徴とするサーバコンピュータ。
【請求項１２】
前記ネットワーク経由で、前記コンピュータに追加又は書換えるカード情報を送信する手段と、
前記コンピュータに、前記カードリードライト端末装置経由で、前記カード情報をカードに書き込ませる手段と、
を、具備することを特徴とする請求項１０又は請求項１１記載のサーバコンピュータ。
【請求項１３】
前記コンピュータが、前記カードリードライト端末装置から読み込んだカードを認証する手段と、
前記コンピュータからの要求に応じて、前記カードの情報を前記コンピュータに送信する送信手段と、
を、具備することを特徴とする請求項１０又は請求項１１記載のサーバコンピュータ。
【請求項１４】
カード購入希望者、及びカード所有者のコンピュータとネットワークで接続され、
カード購入希望者の第１のコンピュータからカードに関する情報照会があると、前記カードの鑑定結果等を、前記第１のコンピュータに送信し、
前記第１のコンピュータから前記カード購入依頼があると、カード所有者の第２のコンピュータに通知して売買の仲介を行い、
前記カードの売買が成立し、前記カードの所有者が変更されると、前記カードの所有者情報等の変更登録を行うことを特徴とするサーバコンピュータ。
【請求項１５】
サーバコンピュータと、ネットワークで接続され、
前記サーバコンピュータに記録されたカードに関する情報を読み取る手段と、
前記サーバコンピュータに記録された前記カードに関する情報を変更及び追加する手段と、
を、具備することを特徴とするコンピュータ。
【請求項１６】
サーバコンピュータと、ネットワークで接続され、
カードに記録された情報を読み取る手段と、
前記カードに記録された情報を変更及び追加する手段と、
を、具備することを特徴とするコンピュータ。
【請求項１７】
カードを収納するカード収納部と、
ＩＣチップ等の記憶媒体を収納するＩＣチップ収納部と、
を、具備することを特徴とするカードケース。
【請求項１８】
前記ＩＣチップ等の記憶媒体は、前記カードの鑑定結果と、前記カードの所有者情報と、前記カードの評価額と、前記カードに関するその他の情報を保持することを特徴とする請求項１７記載のカードケース。
【請求項１９】
前記カードに照射する紫外線を低減する素材からなる請求項１７記載のカードケース。
【請求項２０】
ＩＣチップ等の記憶媒体を具備し、
前記記憶媒体は、カードの鑑定結果と、前記カードの所有者情報と、前記カードの評価額と、前記カードに関するその他の情報を保持することを特徴とするカード。
【請求項２１】
紫外線を低減する素材をコーティングした請求項２０記載のカード。
【請求項２２】
サーバコンピュータを、請求項１から請求項７に記載のいずれかのグレーディングシステムとして機能させるプログラム。
【請求項２３】
カードリードライト端末装置を備える前記コンピュータは、カードリードライト機能を搭載する携帯型端末装置であることを特徴とする請求項１から請求項９記載のグレーディングシステム。
【請求項２４】
カードリードライト端末装置を備える前記コンピュータは、カードリードライト機能を搭載する携帯型端末装置であることを特徴とする請求項１０から請求項１６記載のサーバコンピュータ。
【請求項２５】
カードリードライト端末装置を備える前記コンピュータは、カードリードライト機能を搭載する携帯型端末装置であることを特徴とする請求項１５又は請求項１６記載のコンピュータ。
【発明の詳細な説明】
【技術分野】
【０００１】
本発明は、トレーディングカードの鑑定情報、評価情報、及び関連情報を、インターネット等のネットワークを介して管理するグレーディングシステムに関するものである。
【背景技術】
【０００２】
近年、日本のみならず世界の各地において、トレーディングカードの収集家によるカードの収集や、収集家同士によるトレーディングカードの交換や売買が行われている。
【０００３】
トレーディングカード（以降、カードと称する）とは、野球、サッカー、バスケットボール等のスポーツ選手の写真や、アニメーションのキャラクタ等の絵、映画キャストの写真やシーン、アイドルの写真等が印刷されたカードである。また、ゲームカードなどもトレーディングカードに含まれる。カードには、スポーツ選手が着用したジャージの布や、選手のサイン等を入れることもできる。また、カードに内蔵するＩＣチップ等に選手等の音声情報・画像情報・文字情報等を記録することもできる。
【０００４】
発行数が限定されるカードや、特に希少価値の高いカードなどは、収集家の間では高価な値段で売買されている。
【０００５】
売買の対象となるカードは、鑑定会社でカードの状態が鑑定されて、項目別及び総合評価として数段階の評価点が付けられる。このカードの格付けは通常グレーディングと呼ばれ、格付けを受けたカードがカードケースに収納され密封されるとグレーディングカードと呼ばれる。カードケースは、密封しないまでもカードの破損や劣化・汚れの付着を防ぎ、カードの状態維持を目的として使用される場合もある。
【０００６】
また、カードのジャンル別に定期的に発行される、プライスガイドブックと呼ばれるカード情報誌がある。プライスガイドブックにはカード交換・売買等の目安となる価格が掲載される。
【０００７】
カードに特に窓を設け、その絵柄に関連する薄板状物（スポーツ選手のユニホームの一部、芸能人の身に付けていた衣類の一部、直筆の紙片等）を窓部に設けたカードに関する特許として、特許文献１がある。
【０００８】
また、映像情報、音声情報等をカードに記録、或いは再生し、トレーディングカードの主人公とカード所有者との双方向のコミュニケーションを具現化する特許として、特許文献２がある。
【０００９】
【特許文献１】特開２００２−０７９７８１号公報
【特許文献２】特開２００２−０４９３１２号公報
【発明の開示】
【発明が解決しようとする課題】
【００１０】
しかしながら、昨今、カードの売買が世界中で行われる状況の中で、売買・交換等の相手が遠方化し、カードの状態を直に確認することが困難であるという問題がある。
【００１１】
また、インターネット技術の発達により、ネットオークション等にカードが出品されることもあるが、このカードの状態等を購入する側が知ることは困難である。
【００１２】
また、カード所有者は、自分の所有するカードの評価額を知るには、定期的に発行されるプライスガイドブックで調べなくてはならない。
【００１３】
また、従来は、カードに記録されているカード鑑定情報やカード所有者情報を変更する際には、カード管理会社に直接カードを持ち込まなくては（或いは送付しなければ）ならなかった。従って、カードの移動途中における事故（紛失、損傷等）の可能性もあった。
【００１４】
また、カード所有者は、自身が所有するカードに登録されているカード情報や、カード管理会社が登録しているカード情報を、当該カード所有者が所有する端末装置で直接読み出すことや、カード情報の追加変更を行うことはできなかった。
【００１５】
本発明で、解決しようとする問題点は、トレーディングカードの売買における事故防止や、売買の効率である。
【００１６】
本発明は、このような問題を鑑みてなされたもので、その目的とするところは、トレーディングカード収集家が、カードを安全で効率的に売買、及び保管することができるトレーディングシステムを提供することである。
【課題を解決するための手段】
【００１７】
前述した目的を達成するための第１の発明は、サーバコンピュータと、カードリードライト端末装置を備えるコンピュータとが、ネットワークに接続されたグレーディングシステムであって、前記サーバコンピュータは、前記コンピュータが、前記カードリードライト端末装置にカードを読み取らせて送信した前記カードの鑑定結果を受信する手段と、前記カードの鑑定結果から判定されるカード評価額を、前記コンピュータに送信して、前記カードリードライト端末装置で前記カードに書き込ませる手段とを具備することを特徴とするグレーディングシステムである。
【００１８】
前記サーバコンピュータは、前記ネットワーク経由で、前記コンピュータに追加又は書換えるカード情報を送信する手段と、前記コンピュータに、前記カードリードライト端末装置経由で、前記カード情報をカードに書き込ませる手段とを、具備する。
【００１９】
また、前記サーバコンピュータは、前記コンピュータが、前記カードリードライト端末装置から読み込んだカードを認証する手段と、前記コンピュータからの要求に応じて、前記カード情報を前記コンピュータに送信する送信手段とを、具備する。
【００２０】
前記カードは、前記カードの鑑定結果と、前記カードの所有者情報と、前記カードの評価額と、前記カードに関するその他の情報を記憶部に保持することを特徴とする。
【００２１】
前記サーバコンピュータは、前記カードの鑑定結果と、前記カードの所有者情報と、前記カードの評価額と、前記カードに関するその他の情報を記憶部に保持することを特徴とする。
【００２２】
サーバコンピュータは、例えばカード鑑定業務等を行う管理会社等に設置される。
カードリードライト端末装置は、接触式又は非接触式でカード情報の読み取り及び書き込みを行う装置であり、カード所有者のコンピュータに接続される。カード情報は、ネットワーク経由でサーバコンピュータとの間で送受信される。
また、カードリードライト端末装置を備えるコンピュータは、カードリードライト機能を搭載する携帯型端末装置であっても良い。携帯型端末装置とは、例えば携帯電話、ＰＤＡ（Personal Digital Assistant）、Handheld  Computer等の設置場所を固定しなくても良い端末装置である。携帯型端末装置は、有線・無線を問わずネットワーク経由でサーバコンピュータと接続が可能である。
【００２３】
第１の発明によるグレーディングシステムは、サーバコンピュータが、カード所有者のコンピュータから送信されるカード鑑定結果から判定されるカード評価額を、コンピュータに返送し、カードリードライト端末装置で、当該カードに書き込ませる。また、サーバコンピュータは、その他のカード情報の追加、書換え情報をコンピュータに送信し、カードリードライト端末装置で、当該カードに書き込ませる。また、カード所有者の要求に応じて、カード情報をサーバコンピュータからカード所有者のコンピュータに送信する。
【００２４】
第２の発明は、サーバコンピュータと、カードリードライト端末装置を備えるコンピュータとが、ネットワークに接続されたグレーディングシステムであって、前記サーバコンピュータは、カードの状態に関する情報に基づいて、前記カードの鑑定を行う鑑定手段と、鑑定結果を、前記コンピュータに送信して前記カードリードライト端末装置で前記カードに書き込ませる手段とを具備することを特徴とするグレーディングシステムである。
【００２５】
第２の発明のグレーディングシステムは、サーバコンピュータが、カード所有者からスキャナ等で送られるカード状態から、カードの鑑定を行う。この鑑定結果をカード所有者のコンピュータに送信し、カードリードライト端末装置で当該カードに書き込ませる。
【００２６】
第３の発明は、サーバコンピュータと、カードリードライト端末装置を備えるコンピュータとが、ネットワークに接続されたグレーディングシステムであって、前記サーバコンピュータは、カード購入希望者の第１のコンピュータからカードに関する情報照会があると、前記カードの鑑定結果等を、前記第１のコンピュータに送信し、前記第１のコンピュータから前記カード購入依頼があると、カード所有者の第２のコンピュータに通知して売買の仲介を行い、前記カードの売買が成立し、前記カードの所有者が変更されると、前記カードの所有者情報等の変更登録を行うことを特徴とするグレーディングシステムである。
【００２７】
第３の発明のグレーディングシステムは、カード購入希望者である第１のコンピュータからカードに関する情報照会があると、サーバコンピュータはカードの鑑定結果を第１のコンピュータに送信する。また、サーバコンピュータは、第１のコンピュータからカード購入依頼があると、カード所有者である第２のコンピュータに通知して売買の仲介を行う。また、売買が成立し、カードの所有者が変更されると、サーバコンピュータはカードの所有者情報等の変更登録を行う。
【００２８】
第４の発明は、サーバコンピュータと、カードリードライト端末装置を備えるコンピュータとが、ネットワークに接続されたグレーディングシステムであって、前記コンピュータは、前記サーバコンピュータに記録されたカードに関する情報を読み取る手段と、前記サーバコンピュータに記録された前記カードに関する情報を変更及び追加する手段とを、具備することを特徴とするグレーディングシステムである。
【００２９】
第４の発明のグレーディングシステムは、コンピュータが、サーバコンピュータに記録されたカードに関する情報を読み取ることが可能であり、またサーバコンピュータに記録されたカードに関する情報の変更・追加等を行うことが可能である。即ち、カード所有者は、サーバコンピュータに記録されている、自ら所有するカードに関する情報の確認、及び情報の変更・追加等を行うことができる。尚、コンピュータは、携帯型端末装置を含む。
【００３０】
第５の発明は、サーバコンピュータと、カードリードライト端末装置を備えるコンピュータとが、ネットワークに接続されたグレーディングシステムであって、前記コンピュータは、カードに記録された情報を読み取る手段と、前記カードに記録された情報を変更及び追加する手段とを、具備することを特徴とするグレーディングシステムである。
【００３１】
第５の発明のグレーディングシステムは、コンピュータがカードに記録された情報を読み取ることが可能であり、またカードに記録された情報を変更及び追加することが可能である。即ち、カード所有者は、自ら所有するカードに記録された情報の確認、及び情報の変更・追加等を行うことができる。尚、コンピュータは、携帯型端末装置を含む。
【００３２】
第６の発明は、カードリードライト端末装置を備えるコンピュータとネットワークで接続され、カード所有者の前記コンピュータが、前記カードリードライト端末装置にカードを読み取らせて送信した前記カードの鑑定結果を受信する手段と、前記カードの鑑定結果から判定されるカード評価額を、前記コンピュータに送信して、前記カードリードライト端末装置で前記カードに書き込ませる手段とを具備することを特徴とするサーバコンピュータである。
【００３３】
第７の発明は、カードリードライト端末装置を備えるコンピュータとネットワークで接続され、カードの状態に関する情報に基づいて、前記カードの鑑定を行う鑑定手段と、鑑定結果を、前記カード所有者の前記コンピュータに送信して前記カードリードライト端末装置で前記カードに書き込ませる手段とを具備することを特徴とするサーバコンピュータである。
【００３４】
第８の発明は、カード購入希望者、及びカード所有者のコンピュータとネットワークで接続され、カード購入希望者の第１のコンピュータからカードに関する情報照会があると、前記カードの鑑定結果等を、前記第１のコンピュータに送信し、前記第１のコンピュータから前記カード購入依頼があると、カード所有者の第２のコンピュータに通知して売買の仲介を行い、前記カードの売買が成立し、前記カードの所有者が変更されると、前記カードの所有者情報等の変更登録を行うことを特徴とするサーバコンピュータである。
【００３５】
第９の発明は、サーバコンピュータと、ネットワークで接続され、前記サーバコンピュータに記録されたカードに関する情報を読み取る手段と、前記サーバコンピュータに記録された前記カードに関する情報を変更及び追加する手段とを、具備することを特徴とするコンピュータである。
【００３６】
第１０の発明は、サーバコンピュータと、ネットワークで接続され、カードに記録された情報を読み取る手段と、前記カードに記録された情報を変更及び追加する手段とを、具備することを特徴とするコンピュータである。
【００３７】
第１１の発明は、カードを収納するカード収納部と、ＩＣチップ等の記憶媒体を収納するＩＣチップ収納部とを、具備することを特徴とするカードケースである。
【００３８】
ＩＣチップ等の記憶媒体は、前記カードの鑑定結果と、前記カードの所有者情報と、前記カードの評価額と、前記カードに関するその他の情報を保持することが望ましい。また、ＩＣチップ等の記憶媒体には、カードに関するその他の情報として、例えばカード保有者が個人的に情報（画像情報、文字情報等）を書き込むことが可能な記憶領域を備えても良い。また、カードケースは、前記カードに照射する紫外線を低減する素材を含んでも良い。
【００３９】
第１２の発明は、ＩＣチップ等の記憶媒体を具備し、前記記憶媒体は、カードの鑑定結果と、前記カードの所有者情報と、前記カードの評価額と、前記カードに関するその他の情報を保持することを特徴とするカードである。
【００４０】
カードに、紫外線を低減する素材をコーティングしてもよい。
【００４１】
第１３の発明は、サーバコンピュータを、請求項１から請求項７に記載のいずれかのグレーディングシステムとして機能させるプログラムである。
【００４２】
第１３の発明のプログラムは、サーバコンピュータを、請求項１から請求項７記載に記載のいずれかのグレーディングシステムとして機能させるものであり、このプログラムをネットワークを介して流通させることもできる。
【発明の効果】
【００４３】
本発明によれば、トレーディングカード収集家が、カードを安全で効率的に売買、及び保管することができるトレーディングシステムを提供することができる。
【発明を実施するための最良の形態】
【００４４】
以下に、図面に基づいて本発明の実施の形態を詳細に説明する。図１は、本実施の形態に係るグレーディングシステム１の構成を示す図である。尚、グレーディングとは、通常、カードを鑑定し格付けすることを意味する。
【００４５】
（１．構成）
（１−１．グレーディングシステム１の構成）
グレーディングシステム１は、ネットワーク３、サーバコンピュータ７、コンピュータ１３、コンピュータ２１等から構成される。
【００４６】
サーバコンピュータ７はネットワーク３に接続され、管理会社５等に設置される。管理会社５は、カードの鑑定業務、カード情報の管理業務、カード取引の仲介業務等を行う。サーバコンピュータ７はデータベース９を備え、データベース９にはカード情報１１を保持する。カード情報１１とは、詳細は後述するが、カード種別、カードの所有者に関する情報、鑑定結果、評価額等である。
【００４７】
プライスガイドブックは、定期的（例えば１ヶ月に１度）に発行されるジャンル別のカード評価額情報雑誌である。プライスガイドブックにはカード交換・売買等の目安となる価格が掲載されており、管理会社５はこれを基にしてカード評価額（査定額）を判断する。図１に示すプライスガイドデータ６はプライスガイドブックに記載されるカード評価額に関するデータを示す。
【００４８】
コンピュータ１３は、顧客Ａに保持され、ネットワーク３に接続される。またコンピュータ１３はカードリードライト端末装置１５に接続される。カードリードライト端末装置１５は顧客Ａが保持するカード１７に、情報の書き込み又は読み込みを行う機能を有する。カードリードライト端末装置１５は接触式の場合はカード１７の記憶部（後述するＩＣチップ等）に接続する端子に接触し、非接触式の場合は赤外線やレーザダイオード等でカード１７の記憶部を走査して、データの読み書きを行う。
【００４９】
コンピュータ２１は、顧客Ｂに保持され、ネットワーク３に接続される。ここでは、顧客Ｂはカード購入希望者として説明する。
【００５０】
（１−２．サーバコンピュータ７、コンピュータ１３の構成）
図２はサーバコンピュータ７の構成、図３はコンピュータ１３の構成を示す。
【００５１】
図２において、サーバコンピュータ７は、中央処理装置等の制御部２５と、ＨＤＤ等の記憶部２７と、フレキシブルディスクやＣＤ−ＲＯＭ等のメディアの読み込みや書き込みを行うメディア入出力部２９と、ネットワーク３に接続するモデムやＬＡＮボード等の通信部３１と、キーボード、マウス等の入力部３３と、プリンタ等の印刷部３５と、ＣＲＴや液晶表示装置等の表示部３７とから構成され、それぞれがバス３９で接続されている。
【００５２】
コンピュータ１３の構成は、サーバコンピュータ７と同様な構成であるので説明を省略する。尚、カードリードライト端末装置１５は、コンピュータ１３のバス５５に接続される。また、顧客Ｂのコンピュータ２３も、同様な構成であるので説明は省略する。
【００５３】
（１−３．カードケース５７の構成）
図４は、鑑定されたカード１７が収納されるカードケース５７を示す図である。カード１７は、管理会社５が鑑定する。カード１７の鑑定は、主にセンタリング、角、縁、表面の４項目から行われ、各項目別評価、及び総合評価として評価点を付ける事によって行われる。この鑑定は、特殊な検査装置（図示せず）を用いて行われる。
【００５４】
鑑定されたカード１７は、カードケース５７に収納される。カードケース５７は、ケース本体５９、蓋６１、プロテクトシート５８などから構成される。
【００５５】
ケース本体５９は板状であり、その上面にカード収納部６３、ＩＣチップ収納部６９、シール収納部７１が凹状に設けられる。カード収納部６３には、カード１７が収納される。ＩＣチップ収納部６９には、このカード１７に関する情報等を記録したＩＣチップ６５が収納される。シール収納部７１には、カード１７に関する印刷がなされたシール６７が収納される（或いは貼り付けられる）。プロテクトシート５８は蓋６１に取り付けられる。プロテクトシート５８は、蓋６１部分に書かれた選手のサイン・印刷等の汚れや破損を防止する。また、プロテクトシート５８にＵＶ加工が施されていると、蓋６１部分に書かれた選手のサインや、カード１７の印刷等の紫外線劣化を低減する。
【００５６】
図５は、ケース本体５９と蓋６１とが密着されたカードケース５７を示す図である。カード収納部６３にカード１７を収納し、ＩＣチップ収納部６９にＩＣチップ６５を収納し、シール収納部７１にシール６７を収納し、蓋６１をかぶせる。ケース本体５９と蓋６１は、特殊な装置（図示せず）により超音波等を用いて完全に密着され、カード１７、ＩＣチップ６５等を保護する。プロテクトシート５８は蓋６１に挟むように取り付けられる。尚、カードケース５７は特殊な装置等で密着せず、カード１７等を保護し保管する目的で、開封可能な状態で固定されて用いられる場合もある。
【００５７】
ケース本体５９、蓋６１、プロテクトシート５８はアクリル板等の硬質で透明な物質から作られており、図５に示す上面及び下面からも、ケース本体５９、蓋６１を通して、カード１７、ＩＣチップ６５、シール６７を見ることができるようになっている。また、ケース本体５９や蓋６１の表面には、選手等のサインや落款等が可能な表面加工をしても良い。
【００５８】
尚、選手のサインやカード１７の印刷の劣化は、自然光や蛍光灯等から発せられる紫外線が原因となる。紫外線による劣化を防止するために、カードケース５７を形成する蓋６１、ケース本体５９、プロテクトシート５８には、その一部或いは全部に紫外線防止加工を施しても良い。紫外線防止加工とは、紫外線吸収剤である化学物質を、蓋６１、ケース本体５９、プロテクトシート５８等の作成時に材料に添加する加工、或いは表面にコーティングする加工のことである。
【００５９】
さらに、メガネの調光レンズ同様、外の明るさ（紫外線の量）によって、紫外線カット率を変化させる化学物質がある。この化学物質を、ケース本体、プロテクトシート、ケースカバー等の付属品の作成時に材料に添加して、素材自体を変化させるものや、或いは表面にコーティング加工、貼り付け加工を行う場合がある。尚、カード１７自体に紫外線防止のコーティングが施されている場合もある。
【００６０】
また、ここではＩＣチップ収納部６９とシール収納部７１とを別に設けたが、例えばシール６７の間にＩＣチップ６５を挟むようにして、一緒に収納する構成にしても良い。また、カード収納部６３にカード１７、ＩＣチップ６５、シール６７等を同時に収納する構成にしても良い。
【００６１】
（１−４．ＩＣチップ６５）
ＩＣチップ６５には、カード１７のカード情報１１等が登録される。図６は、ＩＣチップ６５の構造を示す図である。図６（ａ）は、接触端子７３を有するＩＣチップ６５−１を示す。記憶部であるメモリ７５−１にデータを登録、或いはメモリ７５−１からデータを読み出す時に、接触端子７３を外部機器と接触させ、情報をやり取りする。図６（ｂ）は、非接触式のＩＣチップ６５−２を示す。この場合、アンテナ７７を通して、リードライト装置と電波で情報をやりとりしてメモリ７５−２にデータを登録、或いはメモリ７５−２からデータの読み出しを行う。
【００６２】
ＩＣチップ６５にはカード１７に関するカード情報１１等が登録される。図７は、カード情報１１を示す図である。カード情報１１は、カードＩＤ７９、カード名称８１、・・カードスコア８３、センタリング８５、角８７、縁８９、表面９１、・・カード査定額９３、・・、所有者氏名９５、住所９７、購入日９９、・・等からなる。
【００６３】
カードＩＤ７９、カード名称８１、・・等はカード種別を示す項目である。カードＩＤ７９は、カード１７の識別番号である。カード名称８１は、例えばカード１７に写真が印刷されるスポーツ選手の選手名等を示す。その他、カード発行日等の項目を入れても良い。
【００６４】
カードスコア８３、センタリング８５、角８７、縁８９、表面９１、・・は、カード１７の鑑定結果に関する項目であり、センタリング８５はカード１７の中央部を、角８７はカード１７の角部を、縁８９はカード１７のエッジ部分を、表面９１はカード１７の表裏両面の表面を示す。カードスコア８３の欄は総合評価点を示し、センタリング８５、角８７、縁８９、表面９１の各欄は各鑑定項目別の評価点を示すものである。
【００６５】
カード査定額９３は、カード１７の鑑定結果を示すカードスコア８３と、定期的に発行されるカード１７の種別ごとのプライスガイドブックのデータを参考にした売買の査定額である。
【００６６】
所有者氏名９５、住所９７、購入日９９、・・、所有者氏名１０１、住所１０３、購入日１０５・・は、カード１７の過去及び現在の所有者に関する情報である。例えば、所有者氏名９５、住所９７、購入日９９・・には、現在の所有者である顧客Ａに関する情報が記載されており、所有者氏名１０１、住所１０３、購入日１０５・・には、顧客Ａの以前にカード１７を所有していた所有者に関する情報が記載されている。
【００６７】
このようにＩＣチップ６５には、カード情報１１が登録される。即ち、ＩＣチップ６５に登録された内容を読み取ることによって、カード種別、カードの鑑定結果、カードの査定額、所有者の履歴等を得ることができる。尚、カード情報１１を文字情報だけでなく、音声・画像（動画・静止画）情報として得られるようにしても良い。
【００６８】
また、ＩＣチップ６５には、例えばカード１７に写真が印刷されたスポーツ選手等の情報（文字情報、静止画、音声、動画等）を記録しておくことも可能である。
また、ＩＣチップ６５には、カード１７の所有者が個人的な情報を記録する記憶領域を設けても良い。即ち、カード所有者が、個人的に文字情報や画像情報をＩＣチップ６５に記録して保存することができる。
尚、ＩＣチップ６５よりも大容量メモリであるフラッシュメモリ等をカード情報１１の記憶素子として用いても良い。
【００６９】
シール６７には、カード種別や鑑定結果の評価点など、カード１７を確認するために必要な情報が記載される。シール６７は、顧客Ａの希望により添付しなくてもよい。
【００７０】
（２．フローチャート）
次に、本発明によるカードの鑑定、評価、カード情報１１のやり取り、売買処理等について図８から図１４を用いて説明する。図８はカード１７の鑑定登録と評価額登録のフローチャート、図９はサーバコンピュータ７が行うカード情報１１の更新を示す図、図１０は顧客Ａのリクエストによるカード情報１１の送信を示す図、図１１はカード１７売買のフローチャート、図１２は顧客Ａからのカード情報１１の送信、図１３は顧客Ａのコンピュータ１３がサーバコンピュータ７に登録されているカード情報１１の照会・書き換えを行うフローチャート、図１４は顧客Ａのコンピュータ１３が所有するカード１７のＩＣチップ６５に登録されているカード情報１１の照会・書き換えを行うフローチャートを示す図である。
【００７１】
（２−１．カード１７の鑑定と評価額登録）
図８は、カード１７の鑑定登録（ステップ１００１）と、評価額登録（ステップ１００７）を示す。顧客Ａは管理会社５に、カード１７の鑑定と登録を依頼する。コンピュータ１３の制御部４１は、カード１７の鑑定依頼をネットワーク３を介して管理会社５のサーバコンピュータ７に送る（ステップ１００２）。鑑定依頼と同時に、制御部４１は顧客Ａの氏名、住所、メールアドレス等の個人情報をサーバコンピュータ７に通知する。
【００７２】
次に、コンピュータ１３の制御部４１は、スキャナ等で読み取られたカード１７の状態（カード１７の中央、角、縁、表面の状態が判断できるようなデータ）を、ネットワーク３を介して管理会社５のコンピュータ７に送る（ステップ１００３）。尚、従来は、顧客Ａは管理会社５にカード１７現物を持参或いは郵送して鑑定依頼を行っていた。
【００７３】
サーバコンピュータ７の制御部２５は、顧客Ａから送られたカード１７の鑑定依頼、及びカード１７の状態のデータを受信し、データを分析してカード１７の鑑定を行う（ステップ１００４）。尚、受信したカード１７の状態のデータ不備により鑑定不可能な場合には、従来通りカード１７の現物を持参或いは郵送を、顧客Ａに依頼する場合もある。
【００７４】
サーバコンピュータ７の制御部２５は、カード１７のカード種別、顧客Ａの個人情報（氏名、住所、メールアドレス等）、カード１７の鑑定結果（カードスコア８３、センタリング８５、角８７、縁８９、表面９１を鑑定した評価値）等を、カード情報１１としてデータベース９に登録する。また、同時にカード情報１１を顧客Ａのコンピュータ１３に送信する（ステップ１００５）。
【００７５】
コンピュータ１３の制御部４１は、カード情報１１を受信し、カードリードライト端末装置１５経由でＩＣチップ６５に登録する（ステップ１００６）。更に管理会社５は、カード種別や鑑定結果の評価点など、カード１７を確認するために必要な情報が記載されるシール６７を、顧客Ａに送付する場合もある。
【００７６】
尚、ここでは、顧客Ａが手元にカードケース５７に入ったカード１７とＩＣチップ６５を保有している、又はＩＣチップ６５が内蔵されたカード１７を保有しているものとしているが、顧客ＡがＩＣチップ６５等の記録部を内蔵していないカード１７のみを保有している場合には、管理会社５がカード情報１１を登録したＩＣチップ６５、カードケース５７、シール６７等を顧客Ａに送付する場合もある。
【００７７】
次にステップ１００７の、カード評価額登録について説明する。顧客Ａは、所有するカード１７の評価額（査定額）を管理会社５に照会する。即ち、コンピュータ１３の制御部４１はネットワーク３経由で、カード１７の評価額調査依頼をサーバコンピュータ７に送信する（ステップ１００８）。更に、コンピュータ１３の制御部４１は、カード情報１１をカードリードライト端末装置１５に読み取らせ、サーバコンピュータ７に送信する（ステップ１００９）。尚、特にカード情報１１を読み取って送信しなくても、コンピュータ１３の制御部４１から送られる顧客Ａの情報（例えば所有者氏名９５や、所有するカード１７のカードＩＤ７９）から、サーバコンピュータ７はデータベース９に保有する当該カード１７のカード情報１１を得ることはできる。
【００７８】
サーバコンピュータ７の制御部２５は、カード種別に定期的に発行されるプライスガイドデータ６と、当該カード１７のカード情報１１を基にして、カード１７の評価額を調べ、データベース９のカード情報１１にカード査定額９３として登録する（ステップ１０１０）。
【００７９】
サーバコンピュータ７の制御部２５は、カードの評価額（カード査定額９３）を、顧客Ａのコンピュータ１３に送信する（ステップ１０１１）。
【００８０】
コンピュータ１３の制御部４１は、カードの評価額（カード査定額９３）を、カードリードライト端末装置１５経由で、ＩＣチップ６５のカード情報１１に追加登録或いは更新登録を行う（ステップ１０１２）。尚、コンピュータ１３の制御部４１は、コンピュータ１３の記憶部４３に、顧客Ａが所有するカード１７のカード情報１１を登録しておいてもよい。即ち顧客Ａは、任意のタイミングでカード情報１１を更新することができる。
【００８１】
このように、顧客Ａは、管理会社５にカード１７の評価額（査定額）をネットワーク３経由で照会し、その結果を手元のカード１７のＩＣチップ６５に登録することができ、プライスガイドブックが発行される都度、評価額を調べる煩雑さを低減できる。
【００８２】
また、図示していないが、顧客Ａが複数枚のカードを所持する場合、複数枚のカードをカードリードライト端末装置１５で読み取らせることで、サーバコンピュータ７は、複数枚のカードの合計査定額等（枚数等）を瞬時に算出して通知するシステムも簡単に構築することができる。
【００８３】
（２−２．カード情報１１の更新）
次に、図９は、例えば定期的にサーバコンピュータ７の制御部２５が、顧客Ａ（カード所有者）のカード１７に登録されたカード情報１１の追加、或いは更新を行う処理（ステップ１５００）を示す図である。即ち管理会社５は、カード所有者にプッシュ式に任意の情報を提供することができる。カード所有者はコンピュータ１３の表示部５３に、送られた情報を表示させて確認し、必要に応じてカード情報１１の更新を行う場合もある。
【００８４】
管理会社５は、例えば前述のプライスガイドデータ６を、カード種別毎に定期的に入手する。カードの評価額は定期的に更新されるので、サーバコンピュータ７は、データベース９に登録している評価額（カード査定額９３）を定期的に更新すると同時に、顧客Ａのコンピュータ１３に対しても定期的に追加又は更新するカード情報１１を送信する（ステップ１５０１）。
【００８５】
コンピュータ１３の制御部４１は、送信されたカード１７のカード情報１１を受信し、記憶部４３に登録する。また、顧客Ａがカード１７（ＩＣチップ６５）をカードリードライト端末装置１５にかざす（または挿入する）ことにより、ＩＣチップ６５に記憶されているカード情報１１が更新される（ステップ１５０２）。
【００８６】
また、カード１７に写っているスポーツ選手のメッセージ等の音声情報がＩＣチップ６５に登録されているとして、定期的に音声情報が更新される場合も上記と同様である。ＩＣチップ６５に、文字情報、動画、静止画等が登録されている場合も、上記と同様に定期的に更新することができる。
【００８７】
（２−３．顧客Ａのリクエストによるカード情報１１の送信）
図１０は、顧客Ａが、管理会社５にカード情報１１をリクエストし、送信させる処理（ステップ１７００）を示す図である。
【００８８】
コンピュータ１３の制御部４１は、カードリードライト端末装置１５でカード１７のカード情報１１を読み取り、ネットワーク３経由でサーバコンピュータ７に送信する（ステップ１７０１）。
【００８９】
サーバコンピュータ７の制御部２５は、受信したカード情報１１を基に、カード１７を認証する（ステップ１７０２）。尚、コンピュータ１３の制御部４１は、カードリードライト端末装置１５でカード１７のカード情報１１を読み取らせなくても、顧客情報や記憶部２７に登録したカード情報１１を送信して、サーバコンピュータ７にカード１７又は顧客Ａを認識させるようにしても良い。
【００９０】
次にコンピュータ１３の制御部４１は、カード１７に関する情報送信を、サーバコンピュータ７に依頼する。カード１７に関する情報とは、例えば、カード１７の査定額や、同様なカードの取引事例等の情報である。
【００９１】
サーバコンピュータ７の制御部２５は、依頼されたカード１７に関する情報を、コンピュータ１３に送信する（ステップ１７０４）。
【００９２】
コンピュータ１３の制御部４１は、表示部５３に送信されたカード１７に関する情報を表示させる。更に必要に応じて、記憶部２７に登録されているカード情報１１の更新や、カードリードライト端末装置１５を介してカード情報１１をカード１７のＩＣチップ６５へ入力する（ステップ１７０５）。
【００９３】
（２−４．カード１７売買のフローチャート）
図１１は、グレーディングシステム１によるカード１７の売買処理を示すフローチャートである（ステップ２００１）。顧客Ａは、カード１７の売却を希望し、ネットワーク３上のオークション等に出品するものとする。即ち、コンピュータ１３の制御部４１は、ネットワーク３上のオークションに、売却を希望するカード１７を出品する（ステップ２００２）。
【００９４】
顧客Ｂは、オークションに出品されたカード１７を見て、購入を検討するものとする。顧客Ｂのコンピュータ２１は、管理会社５のサーバコンピュータ７にカード１７の状態（カード情報１１）の照会を要求する（ステップ２００３）。この際、コンピュータ２１は、顧客Ｂの個人情報（氏名、住所、メールアドレス等）をサーバコンピュータ７に通知する。
【００９５】
サーバコンピュータ７は、カード１７のカード情報１１の一部又は全ての内容や、評価額（査定額）に関する情報を、顧客Ｂのコンピュータ２１に通知する（ステップ２００４）。
【００９６】
顧客Ｂが、カード情報１１の内容を納得し、カード１７購入を希望するものとする。即ち、顧客Ｂのコンピュータ２１は、サーバコンピュータ７にカード１７購入の依頼を通知し、カード１７の購入手続きを開始する（ステップ２００５）。
【００９７】
サーバコンピュータ７は、コンピュータ２１（顧客Ｂ）からのカード１７購入の依頼通知を受け、顧客Ａとの間のカード１７の売買の仲介を行う（ステップ２００６）。即ち、サーバコンピュータ７は、顧客Ａのコンピュータ１３と、顧客Ｂのコンピュータ２１との間で購入金額の調整を行う。顧客Ａのコンピュータ１３が、カード１７を売却する通知をサーバコンピュータ７に送り（ステップ２００７）、顧客Ｂのコンピュータ２１が、カード１７を購入する通知をサーバコンピュータ７に送り（ステップ２００８）、双方が売買の条件に合意した時点でカード１７の売買が成立する。
【００９８】
管理会社５は、顧客Ａからカード７が収納されたカードケース５７の現物を受け取り、サーバコンピュータ７は、ＩＣチップ６５とデータベース９に登録されている所有者情報の変更と再登録を行う。また、管理会社５は、顧客Ｂが顧客Ａに代金を支払う仲介業務を行う。
【００９９】
尚、図１１では顧客Ａ自身が、ネットオークションにカード１７を出品したが、管理会社５に売却を依頼しても良い。この場合、管理会社５は自身のホームページ等にカード１７の売却情報を提示するなどして、購入希望者を募る。
【０１００】
（２−５．顧客Ａからのカード情報１１の送信）
次に、図１２は顧客Ａのコンピュータ１３から、カード情報１１等をネットワーク３を介して送信する処理（ステップ２０１０）を示す図である。コンピュータ１３の制御部４１は、コンピュータ１３に接続されるカードリードライト端末装置１５でカード１７のカード情報１１を読み取り、ネットワーク３経由で指定する端末装置（サーバコンピュータ７や、顧客Ｂのコンピュータ２１等）に送信する（ステップ２０１１）。
【０１０１】
管理会社５のサーバコンピュータ７はカード１７のカード情報１１を取得する（ステップ２０１２）。また、顧客Ｂのコンピュータ２１もカード１７のカード情報１１を取得する（ステップ２０１３）。
【０１０２】
このように、カード所有者である顧客Ａに、カードリードライト端末装置１５を設置することで、顧客Ａのコンピュータ１３を発信源として、カード１７のカード情報１１を任意の端末装置に送信することが可能になる。即ち、カード購入を希望する顧客Ｂとの間でも、直接的な情報交換が可能になる。
【０１０３】
（２−６．顧客Ａからの、サーバコンピュータ７に登録されたカード情報１１の照会と書き換え処理）
次に、図１３に顧客Ａのコンピュータ１３が、サーバコンピュータ７に登録されたカード情報１１を読み出す処理（ステップ２１００）、及び書き換える処理（ステップ２２００）に関するフローチャートを示す。前述した処理と多少重複する部分があるが、ここでの処理は、顧客Ａが所有するカード１７のＩＣチップ６５を読み取って送信しなくても、カード１７の管理番号（カードＩＤ７９）や顧客番号等を指定することで、所有するカード１７のカード情報１１をサーバコンピュータ７から読み出すこと、或いは書き換えることができる。
【０１０４】
まず、コンピュータ１３の制御部４１は、所有するカード１７の管理番号（カードＩＤ７９）や顧客番号等を指定し、サーバコンピュータ７に登録されたカード情報１１にアクセスする（ステップ２１０１）。
【０１０５】
サーバコンピュータ７の制御部２５は、コンピュータ１３或いは顧客Ａを認証し（パスワード等で認証しても良い）、指定されたカード１７のカード情報１１の一部或いは全部を読み出してコンピュータ１３に送る（ステップ２１０２）。
【０１０６】
コンピュータ１３の制御部４１は、送られたカード情報１１を表示部５３に表示させる（ステップ２１０３）。尚、サーバコンピュータ７が管理するカード情報１１には例えば項目によって機密ランクを指定し、顧客側からは読み出せない項目があっても良い。例えば顧客Ａからは、過去の所有者に関する個人情報は読み出せないようにする。
【０１０７】
続いて、顧客Ａのコンピュータ１３が、サーバコンピュータ７に登録されたカード情報１１を書き換える処理（ステップ２２００）について説明する。顧客Ａが、表示されたサーバコンピュータ７内のカード情報１１を書き換えない場合は（ステップ２２０１のＮＯ）、処理を終了する。サーバコンピュータ７内のカード情報１１を書き換える場合は（ステップ２２０１のＹＥＳ）、コンピュータ１３の制御部４１は、入力部４９から書き換えを行うデータの入力を受け（ステップ２２０２）、サーバコンピュータ７に送る。
【０１０８】
尚、顧客Ａに関する個人情報等（例えば所有者氏名９３や連絡先等）に関しては、顧客Ａによるデータの書き換えは可能であるが、例えば、カード１７の評価に関する項目であるカードスコア８３や、カード査定額９３等は、顧客Ａのコンピュータ１３からデータの書き換えはできない。
【０１０９】
サーバコンピュータ７の制御部２５は、コンピュータ１３から送られる書き換えデータを基にデータベース９に登録されているカード情報１１を書き換える（ステップ２２０３）。
【０１１０】
次に、データベース９に登録されているカード情報１１と、顧客Ａが所有するカード１７のＩＣチップ６５に登録されているカード情報１１とを一致させておく場合、コンピュータ１３の制御部４１は、カードリードライト端末装置１５を介してカード１７のＩＣチップ６５に登録されているカード情報１１を書き換える（ステップ２２０４）。ステップ２２０１に戻り、書き換え処理を繰り返す。
【０１１１】
以上説明したように、顧客Ａは所有するコンピュータ１３から、サーバコンピュータ７に登録されているカード情報１１の照会及び書き換えを行うことができる。
【０１１２】
（２−７．顧客Ａ自身が所有するカード１７のカード情報１１の照会と書き換え処理）
次に、図１４に顧客Ａのコンピュータ１３が、所有するカード１７のＩＣチップ６５に登録されたカード情報１１を読み出す処理（ステップ２３００）、及び書き換える処理（ステップ２４００）に関するフローチャートを示す。即ち、顧客Ａが、自身が所有するカード１７のＩＣチップ６５に登録されているカード情報１１を、サーバコンピュータ７を経由しなくても直接読み出すこと、及び書き換えることができる。
【０１１３】
まず、コンピュータ１３の制御部４１は、所有するカード１７のＩＣチップ６５に登録されたカード情報１１を、カードリードライト端末装置１５を介して読み出す（ステップ２３０１）。
【０１１４】
コンピュータ１３の制御部４１は読み出したカード情報１１を、表示部５３に表示させる（ステップ２３０２）。従って、顧客Ａは、管理会社５のサーバコンピュータ７等に接続しなくても、自身の所有するカード１７のカード情報１１を所有するコンピュータ１３等を用いて読み出すことができる。また、前述の図１３に示したステップ２１００を実行すると、サーバコンピュータ７に登録したカード情報１１を読み出すこともできるので、カード情報１１の内容が不正に改ざんされていないかどうか等も、カード１７所有者自らが確認することも可能となる。
【０１１５】
尚、サーバコンピュータ７が管理するカード情報１１と、カード１７のＩＣチップ６５に登録されるカード情報１１の項目とは必ずしも一致しなくても良い。例えばカード１７のＩＣチップ６５には、カード所有者独自の情報記憶領域を持たせても良い。また、カード１７のＩＣチップ６５に登録されるカード情報１１のうち、顧客側からは読み出せない項目があっても良い。例えば顧客Ａからは、過去の所有者に関する個人情報は読み出せないようにする。
【０１１６】
続いて、顧客Ａのコンピュータ１３が、カード１７のＩＣチップ６５に登録されたカード情報１１を書き換える処理（ステップ２４００）について説明する。顧客Ａが、カード１７のＩＣチップ６５内のカード情報１１を書き換えない場合は（ステップ２４０１のＮＯ）、処理を終了する。カード１７のＩＣチップ６５内のカード情報１１を書き換える場合は（ステップ２４０１のＹＥＳ）、コンピュータ１３の制御部４１は、入力部４９から書き換えを行うデータの入力を受けＩＣチップ６５内のカード情報１１を書き換える（ステップ２４０２）。
【０１１７】
ＩＣチップ６５内のカード情報１１の書き換えと連動して、サーバコンピュータ７内のカード情報１１を書き換える場合は（ステップ２４０３のＹＥＳ）、サーバコンピュータ７の制御部２５は、データベース９内の該当するカード情報１１を書き換え（ステップ２４０４）、ステップ２４０１に戻る。例えば、顧客Ａの個人情報（住所や連絡先等）の項目を書き換える場合は、ＩＣチップ６５内のカード情報１１の書き換えと連動して、サーバコンピュータ７内のカード情報１１を書き換える。
【０１１８】
サーバコンピュータ７内のカード情報１１を書き換えない場合は、ステップ２４０１に戻り、書き換え処理を繰り返す。例えば、ＩＣチップ６５内のカード情報１１には、顧客Ａが個人的に取得した画像情報や、個人的な文字情報等を登録することもでき、これらの情報はサーバコンピュータ７で管理する必要のないものである。
【０１１９】
以上説明したように、顧客Ａは、所有するコンピュータ１３でカードリードライト端末装置１５を介して、自身の所有するカード１７のカード情報１１の照会及び書き換えを行うことができる。
【０１２０】
（３．課金）
本実施の形態のグレーディングシステム１では、顧客Ａは、カード１７の鑑定料金、カード情報１１の登録料、カードケース５７やＩＣチップ６５の料金等を管理会社５に支払う。
【０１２１】
また、顧客Ｂはカード１７に対する情報照会料を管理会社５に支払う。カード１７を購入した場合は、顧客Ｂはカード１７の代金を顧客Ａに支払う。また、カード１７がカードケース５７に入っていない場合、顧客Ｂは代金を支払い、カード１７をカードケース５７に収納して入手することもできる。
【０１２２】
顧客Ａ、顧客Ｂともに、管理会社５にカード売買の仲介処理を依頼した場合は、仲介手数料を管理会社５に支払う。
【０１２３】
また、管理会社５は、顧客Ａからカード１７のカード情報１１管理料金を徴収するようにしても良い。
【０１２４】
（４．その他）
尚、カード１７にＩＣチップ６５等の記憶媒体を内蔵させることもできる。また、カード１７を収納する透明な袋状であるカードスリーブやチームバッグ、上部が開口状のトップローダー等のケースにＩＣチップ６５等の記憶媒体を内蔵させることもできる。
【０１２５】
上記の場合、紫外線によるカードの劣化を防ぐ為に、カード１７に紫外線を低減する素材をコーティングしても良い。又、カードスリーブに紫外線を低減する素材を用いても良い。また、メガネの調光レンズ同様、外の明るさ（紫外線の量）によって、各部の紫外線カット率を変化させる化学物質があり、この化学物質を、カード１７やカードスリーブ等の作成時に材料に添加して、素材自体を変化させるものや、或いは表面にコーティング加工、貼り付け加工を行う場合がある。また、素材は、粉末状やクリーム状、液状等であっても良い。
【０１２６】
顧客Ａは、上記説明してきたような据え置き型コンピュータ１３ではなく、携帯型端末装置２００を管理会社５との通信用端末して用いるようにしても良い。図１５は、携帯型端末装置２００を用いたグレーディングシステム１を示す図である。また、図１６は携帯型端末装置２００の構成を示す図である。
【０１２７】
携帯型端末装置２００は、携帯電話、ＰＤＡ（Personal Digital
Assistant）、Handheld  Computer等の端末装置であり、有線・無線方式を問わずネットワーク３経由で管理会社５との接続が可能である。携帯型端末装置２００の構成のうち、図３に示すコンピュータ１３と同じ、制御部２０１、記憶部２０３、通信部２０７、入力部２０９、表示部２１１、バス２１５については説明を省略する。
【０１２８】
携帯型端末装置２００は、カード１７のＩＣチップ６５を読み取るリードライト部２０５を内蔵する。リードライト部２０５は非接触式の場合、赤外線入出力部やレーザダイオードを用いた入出力部である。或いはリードライト部２０５は接触式端子であっても良い。
【０１２９】
また、入出力部２１３は、例えばプリンタ等の印刷装置に接続する端子、据え置き型の別のコンピュータに接続する端子、別のカード１７用リードライト端末装置に接続する端子等の拡張性を有する部分である。
【０１３０】
携帯型端末装置２００の機能は、上述してきたコンピュータ１３の機能と同様である。従って、携帯型端末装置２００は、図８から図１４のフローチャートに示すコンピュータ１３と同様に動作する。
【０１３１】
（５．効果等）
このように、本実施の形態では、カード所有者と管理会社５とが遠隔地にあるような場合でも、カード所有者はネットワーク３経由で所有するカード１７の鑑定を依頼できるので、鑑定時間を短縮する効果がある。また、カード現物を管理会社５に郵送して鑑定してもらう場合に生じるトラブル（カードの紛失や損傷）のリスクを回避できる効果がある。
【０１３２】
また、カード所有者は、カード１７をカードリードライト端末装置１５にかざすと、カード情報１１を読み出すことができる。また、サーバコンピュータ７から必要に応じて同種のカードの取引事例や、その他カード情報等を送信してもらうことができる。例えば、定期的に発行されるカード１７のプライスガイドブックでその都度カード評価額を調べなくても、管理会社５にカード評価額（カード査定額９３）の更新を依頼すればカード情報１１の中のカード査定額９３を簡単に書換えることができる。
【０１３３】
また、カード所有者は、カード１７をカードリードライト端末装置１５で読み取らせなくても、サーバコンピュータ７でカードの管理番号や顧客番号等の認証がされれば、サーバコンピュータ７に登録しているカード情報１１の照会や書き換えを行うことができる。
【０１３４】
また、カード所有者は、カード１７のＩＣチップ６５に登録されているカード情報１１を、カードリードライト端末装置１５で読み取らせてコンピュータ１３で照会すること、及び書き換えを行うことができる。従って、サーバコンピュータ７に登録しているカード情報１１と、カード１７のＩＣチップ６５に登録されているカード情報１１とを読み出して、カード情報１１の内容を照合し、データが正しく登録されているかどうかを確認することができる。
【０１３５】
また、カード所有者は、保有するコンピュータ１３等から直接カード１７のＩＣチップ６５に、データを書き込む事ができるので、カード所有者がメモ代わりにＩＣチップ６５に画像情報や文字情報を書き込むことができ、オリジナルなカード１７を作成することができる。尚、カード１７が売買されて次の所有者に渡る前に、個人的にＩＣチップ６５に書き込まれた情報は、管理会社５等が消去することが望ましい。
【０１３６】
また、携帯型端末装置２００を利用することで、顧客Ａは、特定の場所に限定されることなく、カード１７に関する情報の送受信を行うことができる。
【０１３７】
また、管理会社５がカード売買の仲介を行うことで、安全で公平なカード取引を確立することができる。
【０１３８】
尚、本発明の技術的範囲は、前述した実施の形態に限られるものではない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【０１３９】
【図１】本実施の形態におけるグレーディングシステム１を示す図
【図２】管理会社５のサーバコンピュータ７の構成を示す図
【図３】顧客Ａのコンピュータ１３の構成を示す図
【図４】カードケース５７の構造と、カード１７を示す図
【図５】蓋と本体が密着したカードケース５７を示す図
【図６】ＩＣチップ６５の構造を示す図
【図７】カード情報１１を示す図
【図８】カード１７の鑑定登録と、評価額登録のフローチャート
【図９】カード情報１１の更新を示す図
【図１０】顧客Ａのリクエストによるカード情報１１の送信を示す図
【図１１】カード１７売買のフローチャート
【図１２】顧客Ａからのカード情報１１の送信を示す図
【図１３】顧客Ａがサーバコンピュータ７のカード情報１１の照会、及び書き換えを行う手順を示す図
【図１４】顧客Ａがカード１７のカード情報１１の照会、及び書き換えを行う手順を示す図
【図１５】携帯型端末装置２００を用いたグレーディングシステム１を示す図
【図１６】携帯型端末装置２００の構成を示す図
【符号の説明】
【０１４０】
１………グレーディングシステム
３………ネットワーク
５………管理会社
７………サーバコンピュータ
９………データベース
１１………カード情報
１３、２１………コンピュータ
１５………カードリードライト端末装置
１７………カード
１９………顧客Ａ
２３………顧客Ｂ
２５、４１、２０１………制御部
２７、４３、２０３………記憶部
２９、４５………メディア入出力部
３１、４７、２０７………通信部
３３、４９、２０９………入力部
３５、５１………印刷部
３７、５３、２１１………表示部
３９、５５、２１５………バス
５７………カードケース
５８………プロテクトシート
５９………ケース本体
６１………蓋
６３………カード収納部
６５、６５−１、６５−２………ＩＣチップ
６７………シール
６９………ＩＣチップ収納部
７１………シール収納部
７３………接触端子
７５−１、７５−２………メモリ
７７………アンテナ
７９………カードＩＤ
８１………カード名称
８３………カードスコア
８５………センタリング
８７………角
８９………縁
９１………表面
９３………カード査定額
９５、１０１………所有者氏名
９７、１０３………住所
９９、１０５………購入日
２００………携帯型端末装置
２０５………リードライト部
２１３………入出力部
【図１】
2005259101.tif 000003
【図２】
2005259101.tif 000004
【図３】
2005259101.tif 000005
【図４】
2005259101.tif 000006
【図５】
2005259101.tif 000007
【図６】
2005259101.tif 000008
【図７】
2005259101.tif 000009
【図８】
2005259101.tif 000010
【図９】
2005259101.tif 000011
【図１０】
2005259101.tif 000012
【図１１】
2005259101.tif 000013
【図１２】
2005259101.tif 000014
【図１３】
2005259101.tif 000015
【図１４】
2005259101.tif 000016
【図１５】
2005259101.tif 000017
【図１６】
2005259101.tif 000018